(57)【特許請求の範囲】
【請求項１】
荷物の載置面となる上部デッキボードを有する上部品と、接地面となる下部デッキボードを有する下部品とを桁の分割面で突き合わせ溶着してなり、前記桁は密閉された中空構造であるパレットにおいて、前記桁の上部デッキボード面に開口するＩＣタグ保持部を設けてなり、
前記ＩＣタグ保持部は、上部デッキボードの天板から垂下した対向する長手側壁によって中空状に形成したＩＣタグ装着用孔にＩＣタグ挟持リブを設けてなり、
前記ＩＣタグ装着用孔は、上下面が長方形状に開口し、パレットの側面に対して一定の角度を有しており、一方側の長手側壁の中央部を凹ませて指先挿入部となし、前記指先挿入部に隣接して前記長手側壁の上端部からＩＣタグ装着用孔の内方に突出する係止突片を突設してなり、
ＩＣタグ挟持リブは、前記係止突片よりＩＣタグ装着用孔の両端側において、他方側の長手側壁に突設してなり、ＩＣタグ挟持リブの間を凹ませて指先挿入部となし、前記ＩＣタグ挟持リブの上部を平面において係止突片との間に隙間を有するようにテーパー面に形成し、下部を垂直面に形成するとともに、ＩＣタグ挟持リブの下端部を連結部によって係止突片側の長手側壁と連結したことを特徴とする合成樹脂製パレット。
【請求項２】
ＩＣタグ挟持リブの先端面は平面において湾曲していることを特徴とする請求項１に記載の合成樹脂製パレット。
【請求項３】
ＩＣタグ保持部が、２つ以上形成されていることを特徴とする請求項１又は２に記載の合成樹脂製パレット。
【発明の詳細な説明】
【技術分野】
【０００１】
この発明は、荷物を保管、運搬する際に使用するフォークリフト用の合成樹脂製パレットに係り、詳しくはＲＦＩＤにおけるＩＣタグを装着可能とした合成樹脂製パレットに関する。
【背景技術】
【０００２】
近年、商品識別・管理技術としてＲＦＩＤにおけるＩＣタグの研究が進められており、流通業界ではバーコードに代わる商品の識別・管理の仕組みとして注目されている。ＲＦＩＤ（Radio Frequency Identification）とは、無線通信を利用した非接触による書き込みと読み取りを行う自動認識技術であって、運送、工程管理、流通等の分野において、商品等の管理に用いられている。
【０００３】
ＲＦＩＤは、ＩＣタグと、ＩＣタグ内の読み取り、書き込みを行うリーダ／ライタと、その情報を管理するコンピュータシステムによって構成される。このようなＩＣタグを利用したパレットも提案されており、パレットのサイズ、材質、所有者等のパレット自体に関するデータ、及びパレットに載置される商品の送付先、種類等の商品自体に関するデータを記録したＩＣタグが取り付けられたパレットが知られている。ＩＣタグを目的物に取り付けることによって商品識別、所在確認、追跡等の管理が可能になる。
【０００４】
ＩＣタグを埋設したパレットとして、例えば、特開２００６−３４７５６０号公報があり、有底の箱体として形成したＩＤタグホルダー収納部材にＩＤホルダー部材を係合状態に収納するようにしたパレットに、例えば特開２００５−２８０７８４号公報がある。
【特許文献１】特開２００６−３４７５６０号公報
【特許文献２】特開２００５−２８０７８４号公報
【発明の開示】
【発明が解決しようとする課題】
【０００５】
上記公報に記載のパレットには、次のような問題があった。例えば、上記特開２００６−３４７５６０号公報に記載されたパレットでは、ＩＣタグを埋設するためにＩＣタグをケースに収納しなければならない。そのために、収納ケースを製造するための金型費、製造費等の費用がかかるとともに、埋設するためにＩＣタグを収納し密封するなどの手間がかかるという問題がある。
【０００６】
また、特開２００５−２８０７８４号公報に記載されたパレットでは、上記特開２００６−３４７５６０号公報に記載されたパレットと同様に、ＩＤホルダー部材（収納ケース）の製造費用がかかる。また、ＩＤホルダー部材（収納ケース）にＩＤタグを装着するために手間がかかり、さらに、ＩＤタグホルダー収納部材の開口部からの出し入れをスムーズに行うことができないという問題がある。
【０００７】
そこで、この発明は、作業者にとってＩＣタグを容易に装着することができるとともに、取り出しも容易であるＩＣタグ装着可能な合成樹脂製パレットを提供するものである。また、この発明は、ＩＣタグがパレットの使用中の振動によって落下したり、ずれたりすることのないＩＣタグ装着可能な合成樹脂製パレットを提供するものである。
【課題を解決するための手段】
【０００８】
この発明に係る合成樹脂製パレットは、荷物の載置面となる上部デッキボードを有する上部品と、接地面となる下部デッキボードを有する下部品とを桁の分割面で突き合わせ溶着してなり、前記桁は密閉された中空構造であるパレットにおいて、前記桁の上部デッキボード面に開口するＩＣタグ保持部を設けてなり、
前記ＩＣタグ保持部は、上部デッキボードの天板から垂下した対向する長手側壁によって中空状に形成したＩＣタグ装着用孔にＩＣタグ挟持リブを設けてなり、
前記ＩＣタグ装着用孔は、上下面が長方形状に開口し、パレットの側面に対して一定の角度を有しており、一方側の長手側壁の中央部を凹ませて指先挿入部となし、前記指先挿入部に隣接して前記長手側壁の上端部からＩＣタグ装着用孔の内方に突出する係止突片を突設してなり、
ＩＣタグ挟持リブは、前記係止突片よりＩＣタグ装着用孔の両端側において、他方側の長手側壁に突設してなり、ＩＣタグ挟持リブの間を凹ませて指先挿入部となし、前記ＩＣタグ挟持リブの上部を平面において係止突片との間に隙間を有するようにテーパー面に形成し、下部を垂直面に形成するとともに、ＩＣタグ挟持リブの下端部を連結部によって係止突片側の長手側壁と連結したことを特徴とする。
【０００９】
ＩＣタグ挟持リブの先端面は平面において湾曲していることが好ましい。また、ＩＣタグ保持部を２つ以上形成することができる。
【発明の効果】
【００１０】
この発明によれば上記構成から明らかなように、次のような効果を奏することができる。
（１）ＩＣタグ装着用孔の長手側壁の一方側に設けた指先挿入部の両側にＩＣタグの上端を係止する係止突片を形成し、ＩＣタグ挟持リブの上部をテーパ面に形成したから、ＩＣタグをＩＣタグ装着用孔に斜めに挿入するだけで、ＩＣタグはその可撓性によって垂直になり上端が係止突片に係止されることになる。従って、ＩＣタグは挿入が容易であるばかりでなく、係止突片とＩＣタグ挟持リブの下端の連結部とによって確実に保持され、脱落することなく安定した状態で装着することができる。
（２）前記ＩＣタグを取り出すときは、ＩＣタグの上端部をずらして係止突片との係止状態を解除して引き出せばよく、容易に取り出すことができる。
（３）ＩＣタグ装着用孔の底面を開口させることによってＩＣタグ装着用孔内は清潔に保たれるから、ＩＣタグに雨水や塵埃等が付着して汚れるのを防止することができる。
（４）ＩＣタグ挟持リブの先端面を平面において湾曲させた場合には、ＩＣタグを損傷させることがないとともに、挿入、取り出しが容易である。
【発明を実施するための最良の形態】
【００１１】
以下に、この発明の実施形態を図面に基づいて詳細に説明する。図１は合成樹脂製パレット１０の実施形態を示す説明用平面図である。パレット１０は、荷物の保管、輸送の際に使用するパレットであって、荷物の積載面となる上部デッキボード１１と接地面となる下部デッキボード１２とを、四隅の桁１３とその中間部に設けた中間部桁１４及び中央部に設けた中央部桁１５で連結してなる。上部デッキボード１１、下部デッキボード１２と四隅の桁１３及び中間部桁１４で囲まれた空隙をフォーク差込口１６とした四方差しパレットである。
【００１２】
上記パレット１０は、各桁の中間位置の分割線Ｔで上部品Ｍと下部品Ｎとに予め分割成形した半製品を分割した桁の先端面で突き合わせ溶着することによって成型される。四隅の桁１３，中間部桁１４及び中央部桁１５は、内部に空隙を有しほぼ密封された中空構造とされている。
【００１３】
また、図示するのを省略したが、上部デッキボード１１は天板と補強リブとからなり、下部デッキボード１２は接地板と補強リブとからなる。上部デッキボード１１の四隅の桁１３，中間部桁１４及び中央部桁１５の部分においては、天板の下面（内面）に補強リブが設けられており、下部デッキボード１２の四隅の桁１３，中間部桁１４及び中央部桁１５の部分においては、接地板の上面（内面）に補強リブが設けられている。
【００１４】
前記四隅の桁１３、中間部桁１４及び中央部桁１５のいずれかにＩＣタグ保持部２０が設けられている。前記ＩＣタグ保持部２０は、パレットの側面に対して４５度の角度で設けられている。
【００１５】
次に、図３〜図５に基づいて、上記ＩＣタグ保持部２０について詳細に説明する。図示する実施形態では、ＩＣタグ保持部２０は、中央部桁１５に形成されている。前記ＩＣタグ保持部２０は、ＩＣタグを挿入可能なように天板の上面に開口部２１を設け、垂直壁によって中空状に形成されたＩＣタグ装着用孔２２に、ＩＣタグ挟持リブ２３を設けてなる。中央部桁１５は中空構造であるから、ＩＣタグ保持部２０は、図６に示すように、上部デッキボード１１の天板から垂下されたように構成されている。
【００１６】
ＩＣタグ装着用孔２２は、上部デッキボード１１の天板１１ａに開口しており、平面において略長方形状に形成されている。ＩＣタグ装着用孔２２は、垂直壁２６によって中空状に形成されており、底面も開口部２１とほぼ同一形状に開口している。ＩＣタグ装着用孔２２の底面は開口しているから、雨水や塵埃が溜まることがない。したがって、装着したＩＣタグを汚すことがなくきれいに保持することができる。
【００１７】
ＩＣタグ装着用孔２２は、図示する実施形態では中央部桁１５の中心部を挟んで直線状に２つ形成されている。なお、前記ＩＣタグ保持部２０に取り付けられるＩＣタグは、主にカード型形状のものを対象としている。
【００１８】
前記ＩＣタグ装着用孔２２を形成する長手側壁２６ａの一方側の中央部を湾曲に凹ませた指先挿入部２５が形成されている。指先挿入部２５の両側には挿入したＩＣタグの脱落を防止する係止突片２７、２７が突設されている。前記指先挿入部２５の幅寸法は、例えば、ＩＣタグ装着用孔２２とともに挿入したＩＣタグを摘んで親指と人差し指とで引き出せる大きさに形成されている。
【００１９】
係止突片２７、２７は、垂直に形成された長手側壁２６ａの上部において、指先挿入部２５に隣接して突設されており、係止突片２７、２７の下面にＩＣタグの上端面が当接するように形成されている。係止突片２７、２７は指先挿入部２５に隣接することなく、指先挿入部２５の両端部との間に間隔をあけて突設することも可能である。
【００２０】
次に、上記ＩＣタグ挟持リブ２３、２３について説明すると、ＩＣタグ挟持リブ２３、２３は、係止突片２７，２７側とは反対側の長手側壁２６ｂから係止突片２７、２７を突設してなる長手側壁２６ａに向かって設けられている。前記ＩＣタグ挟持リブ２３、２３は、ＩＣタグ装着用孔２２の長手方向において前記係止突片２７の外側に対向するように設けられている。
【００２１】
ＩＣタグ装着用孔２２においてＩＣタグ挟持リブ２３、２３の間は、指を挿入する指先挿入部２８とされ、指先挿入部２５と共にＩＣタグを摘んで引き出すことができるように形成されている。ＩＣタグ装着用孔２２の両端部、即ち、指先挿入部２８以外の部分は必ずしも指が挿入できる大きさでなくてもよい。
【００２２】
前記ＩＣタグ挟持リブ２３の先端面である長手側壁２６ａとの対向面は、平面において湾曲して形成されている。このように、先端面を湾曲面に形成することによって、ＩＣタグを損傷させることがなく、しかも容易に出し入れすることができる。また、ＩＣタグ挟持リブ２３の下部は垂直面２３ｂに形成され、ＩＣタグを挟持するように長手側壁２６ａとの間に所定の間隔を有している。ＩＣタグ挟持リブ２３の上部は、係止突片２７との間に隙間を形成するようにテーパ面２３ａに形成されている。
【００２３】
テーパ面２３ａの角度は、係止突片２７との間にＩＣタグを挿入する隙間を設けることができる大きさであればよい。ＩＣタグ挟持リブ２３と対向する長手側壁２６ａの間隔は、装着するＩＣタグの厚さ寸法よりも僅かに大きく形成されており、たとえば、０．５ｍｍ〜１．５ｍｍとすることができる。
【００２４】
ＩＣタグ挟持リブ２３の下端部は、連結部２９によって係止突片２７,２７側の長手側壁２６ａと連結している。ＩＣタグ挟持リブ２３と長側壁２６ａとの間から斜めにＩＣタグ装着用孔２２に挿入されたＩＣタグは、連結部２９に載置されるとともに、垂直面２３ｂと長手側壁２６ａによって垂直に挟持され、上端面が係止突片２７の下面に係止されることになる。従って、パレットが斜めになったり、裏返しされた場合でも脱落することはなく、確実に保持される。
【００２５】
上記構成のＩＣタグ保持部２０は、上部デッキボード１１側にのみ形成してもよいが、下部デッキボード１２側にも形成することができる。上部デッキボードと下部デッキボードの両方に形成する場合には、上下において対称に形成し上下デッキボードの両面にＩＣタグ装着用孔２２を開口させる構成とすることができる。
【００２６】
また、ＩＣタグ保持部２０は、上記実施形態では中央部桁１５の中心部を挟んで直線状に２つ形成したが、中央部桁１５の中心部を挟んで並行に２つ形成してもよく、あるいは中央部桁の中心部に１つ形成してもよい。また、ＩＣタグ保持部２０を形成する桁は、必ずしも中央部桁に限定されるものではなく、四隅の桁１３または中間桁１４に形成してもよい。ＩＣタグ保持部２０を四隅の桁１３または中間桁１４に形成する場合に、配列の方向、数及び下部デッキボードにも形成することが可能であること等については、上記中央部桁１５について説明したことが当然適用される。
【００２７】
次に、図７に示すこの発明に係るＩＣタグ保持部の第２実施形態について説明する。図７は、第１実施形態の図３に対応している。第２実施形態のＩＣタグ保持部３０は、ＩＣタグ装着用孔３１の平面形状のみが異なる。即ち、第１実施形態では、ＩＣタグ装着用孔２２の幅寸法を全体においてほぼ同一に形成したが、第２実施形態ではＩＣタグ挟持リブ２３，２３の外側は、ＩＣタグを装着するのに最小の幅寸法とし、ＩＣタグ挟持リブ２３、２３の間は、第１実施形態と同様に指先挿入部２８として指を挿入可能な大きさとした。
【００２８】
第１実施形態と第２実施形態とは、ＩＣタグ装着用孔３１の平面形状が異なるものの、他の構成については同一であるから同一構成については、第１実施形態と同一符号を付してその説明は省略する。従って、第２実施形態においても、ＩＣタグ保持部の数、配列方法（直線状または平行）、中間部桁にも形成することが可能であること等、形状以外については第１実施形態において述べたところが適用される。
【００２９】
ＩＣタグ保持部３０を上記のように構成することによって、ＩＣタグは、開口部から挿入しＩＣタグの上端を係止突片２７の下面に押し込むことによって、ＩＣタグは垂直に保持され脱落が防止される。装着されているＩＣタグを取り出すときは、指先挿入部２５と２８に指を挿入してＩＣタグの上端部を摘み、係止片２７からずらして係止状態を解除した後に引き出せばよい。ＩＣタグは簡単に引き出すことができる。
【図面の簡単な説明】
【００３０】
【図１】この発明の一実施形態に係る合成樹脂製パレットの説明用平面図である。
【図２】同じく正面図である。
【図３】第１実施形態に係るＩＣタグ保持部の要部拡大平面図である。
【図４】左半分は図３のＡ−Ａ断面図、右半分は図３のＢ−Ｂ断面図である。
【図５】図３のＣ−Ｃ断面図である。
【図６】ＩＣタグ保持部の一部を切り欠いた断面斜視図である。
【図７】第２実施形態に係るＩＣタグ保持部の要部拡大平面図である。
【符号の説明】
【００３１】
１０：パレット
１１：上部デッキボード
１１ａ：天板
１２：下部デッキボード
１３：四隅の桁
１４：中間桁
１５：中央部桁
１６：フォーク差込口
２０：ＩＣタグ保持部
２１：開口部
２２：ＩＣタグ装着用孔
２３：ＩＣタグ挟持リブ
２５：指先挿入部
２６：垂直壁
２７：係止突片
２８：指先挿入部
３０：ＩＣタグ保持部
３１：ＩＣタグ装着用孔
【図１】
0004895218.tif 000002
【図２】
0004895218.tif 000003
【図３】
0004895218.tif 000004
【図４】
0004895218.tif 000005
【図５】
0004895218.tif 000006
【図６】
0004895218.tif 000007
【図７】
0004895218.tif 000008